(57)【要約】      （修正有）【課題】より軽快な操作を可能としたコンピューター入力装置の回転構造を提供する。【解決手段】本体内部に互いに間隔を開けて二つの定置スタンド１３，１４及び回路板２０を設置し、該二つの定置スタンドに回転部材３０を懸架する。該回転部材の回転輪の片側より軸方向に伸長する接続棒を定置スタンドに懸架し、回転軸の他側より延長する嵌合棒はベアリングを介して固定し、回転輪の接続棒の下側に接続棒と接触する弾性復元部品を設けて、該回転部材を支持手段である定置スタンドの凹溝から浮いた上体で支持され、回転に伴う摩擦力を低減することができる。【選択図】図２
0003153319.tif 000002
【実用新案登録請求の範囲】
【請求項１】
本体、回路板、回転部材及び弾性復元部品からなり、
本体内部に上方に立設して、互いに間隔を開けて第一定置スタンド及び第二定置スタンドを設けると共に、それぞれの頂上に凹溝を形成し、
回路板を該本体中に設置し、それぞれ本体10内にある定置スタンドを通すために間隔を開けて貫通する二つの孔21を設け、第一定置スタンドを通すための孔の側方に微動スイッチを設け、
回転部材は、中心軸を備えた回転輪からなり、該回転輪の中心軸より軸方向両側にそれぞれ接続棒及び嵌合棒を延長して形成し、該接続棒311は回路板の微動スイッチと対応して押圧するように該本体の第一定置スタンドの凹溝に架け、該回転輪の嵌合棒をベアリングを介そうして、該本体の第二定置スタンドの凹溝に架けて固定し、
弾性復元部品は、回転輪の接続棒の下側に、該接続棒と接触して配置して該接続棒を上記凹溝から浮かせたことを特徴とするコンピューター入力装置の回転構造。
【請求項２】
前記本体内部の第一定置スタンドの凹溝底部に設置管を設け、
前記弾性復元部品は、スプリング及びスライドブロックから構成して、この順に該本体の設置管の中に設置し、該スプリングとスライドブロックの一端が互いに接し、該スライドブロックの他端が回転輪の接続棒と接触することにより該接続棒を凹溝から浮かせたこと特徴とする請求項1記載のコンピューター入力装置の回転構造。
【請求項３】
前記弾性復元部品は、彎曲した弾性のある金属性の細棒により構成し、一端を該回路板に沿って位置決めし、更に該第一定置スタンド13に沿って垂直に上向きに延長し、該第一定置スタンド13に沿って曲げられ、最後に該第一定置スタンド13に沿って水平に延長し、
該弾性復元部品40Aの他端はフック状を形成して、該フックに該回転部材の回転輪31の接続棒311を乗せたこと特徴とする請求項1記載のコンピューター入力装置の回転構造。
【請求項４】
前記本体10は、台座11と上蓋12を合体したものであることを特徴とする請求項1、請求項2、請求項3に記載のコンピューター入力装置の回転構造。
【請求項５】
本体、回転部材から構成され、
本体には該回転部材を懸架して支持する第一定置スタンド及び第二定置スタンドを設け、
該回転部材は、回転輪及び該回転輪を貫通する中心軸を具有し、該中心軸の片端より軸方向に接続棒を延長して第一定置スタンドに懸架し、該接続棒は弾性復元部品を介して第二定置スタンドによって支え、該第一定置スタンドの外側に微動スイッチを設け、
該中心軸の他端より嵌合棒を延長してベアリングを介そうして第二定置スタンドに懸架し、回転輪に回折格子を設けたことを特徴とするコンピューター入力装置の回転構造。
【請求項６】
前記微動スイッチは、該回転輪及び第一定置スタンドの間に設置したことを特徴とする請求項5記載のコンピューター入力装置の回転構造。
【考案の詳細な説明】
【技術分野】
【０００１】
本考案は、コンピューター入力装置の回転構造に関し、回転部材をその回転支持構造から浮かせた状態で本体内に設置することのより、ユーザーが軽快に該回転部材を操作することができるコンピューターの入力装置の回転構造に関する。
【背景技術】
【０００２】
コンピューターを作動する過程で、頻繁に入力装置を用いて、指令或いはデータをコンピューターに入力し、コンピューターに次のステップを指示して予期の結果を出す。その際、指で操作する回転輪はその回転状態をセンサーによって感知し、当該回転量及び方向を検出することによってシグナルを発生し、コンピューターマザーボードの入力装置に伝える。それによりモニターに表示する映像の位置を表し、画面をロールアップダウンする目的に達する。
【０００３】
従来技術の回転構造では、軽く操作するのみで素早く回転できるよう、回転輪にバランス用の重りをつけた設計があった。重り構造が回転する際に生じる慣性力を利用し、ユーザーは軽く操作して回転輪を回すだけで、素早く回転できる目的に達する。
【０００４】
しかし、上述の素早く回転する回転輪の構造では、回転輪に別途重りを設置するため、部品コストがかかる上、組立コストが一般の回転構造よりも高く、組立時間も余分にかかる。また、回転輪の重心が重り構造に集中するため、回転輪が回転する際、該重心が変わって揺れ動くため、ユーザーが操作する際に影響を来たすことを鑑みて、上述の技術を改善する必要があった。
【先行技術文献】
【特許文献】
【０００５】
【特許文献１】特開２００−１６３２１６号公報
【考案の概要】
【考案が解決しようとする課題】
【０００６】
前記従来技術の欠点を解決するため、本考案はコンピューター入力装置の回転構造を提供することを主な課題とする。
【課題を解決するための手段】
【０００７】
前記課題を解決するために、本考案はコンピューター入力装置の回転構造を提供するものであり、本体、回路板、回転部材、弾性復元部品で構成する。
【０００８】
本体の内部に上方に伸び、互いに間隔を開けて設置する二つの定置スタンドを設け、それぞれの頂上に回転部材を軸支する凹溝を形成する。
【０００９】
回路板を該本体の中に設置し、それぞれ本体10内の定置スタンドを通すため、間隔を開けて貫通する二つの孔21を設け、そのうち一つの孔のサイドに微動スイッチを設ける。
【００１０】
該回転輪の中心軸より軸方向両側にそれぞれ接続棒及び嵌合棒を伸長し、該接続棒311は回路板の微動スイッチと対応して押せるよう、該本体の一つの定置スタンドの凹溝に架ける。且つ該回転輪の嵌合棒をベアリングに挿入し、該本体の別の定置スタンドの凹溝に架けて固定する。
【００１１】
弾性復元部品は、回転輪の接続棒の下側に設け、且つ該接続棒と接触して設置する。
【００１２】
上述の弾性復元部品は、スプリング及びスライドブロックからなり、該スプリング及びスライドブロックは順に該本体の設置管の中に設置し、該スライドブロックを回転輪の接続棒と接触して該接続棒を定置スタンドの凹溝から浮かせた状態で支持する。
【００１３】
上述弾性復元部品は、彎曲した弾性のある金属性の細棒にすることもできる。その一端を該回路板に設置し、他端に該回転部材の回転輪の接続棒を乗せて支持する。
【考案の効果】
【００１４】
本考案は定置スタンド、回転輪及びベアリング、接続棒、嵌合棒、スプリング及びスライドブロックの設置により、該回転部材をほぼ浮遊した形で本体の中に設置し、回転の伴う摩擦力を最も少なくすることができ、重りも必要なくなる。また、ユーザーが軽く操作するだけで迅速に回転することができ、部品コスト及び組立コストを節約し、組立時間を短縮する目的に達する。また、ユーザーは軽快に該回転部材を回転操することができる。
【図面の簡単な説明】
【００１５】
【図１】本考案における立体外観図である。
【図２】本考案における立体分解図である。
【図３】本考案を前から見た一部の部品断面図である。
【図４】本考案の第二実施例の立体分解図である。
【図５】本考案の第二実施例を別の角度から見た立体分解図である。
【考案を実施するための形態】
【００１６】
図1及び図2に示すように、本考案のコンピューター入力装置の回転構造はマウス、トラックボール、タブレット、PDA、キーボード、ゲームコントローラーなどに制限されることなく広く適用できるので、本実施例ではマウスを例に挙げることとする。それを構成するのは本体10、回路板20、回転部材30及び弾性復元部品40である。
【００１７】
本体10は、台座11と上蓋12を合体したものである。該本体10の台座11上に立てて、互いに間隔を開けて第一定置スタンド13及び第二定置スタンド14を設置し、それぞれの頂上に凹溝131、141を設ける。該本体10内部に、該第一定置スタンド13の凹溝131に対応した箇所に設置管15を設ける。
【００１８】
本体10の台座11上に回路板20を設け、それに間隔を開けて前記第一、第二定置スタンド13、14と設置管15を通す二つの孔21を開ける。該回路板20の第一定置スタンド13を通す穴21の側方に微動スイッチ22を設ける。
【００１９】
図3に示すように、回転部材30を本体10の第一、第二定置スタンド13、14に架設する。回転部材30は回転輪31及びベアリング32からなり、該回転輪31は中心軸を具有し、回転輪31は回折格子33を具有する。該回転輪31の中心軸の一方は伸長して接続棒311を形成し、他方は伸長して嵌合棒312を形成する。該接続棒311は回路板20の微動スイッチ22と対応して押せるよう、本体10の第一定置スタンド13の凹溝131に架設する。該回転輪31の嵌合棒312をベアリング32を介して本体10の第二定置スタンド14の凹溝141に架設することにより、該回転輪31とベアリング32はスムーズに回転することができる。
【００２０】
弾性復元部品40は、回転輪31の接続棒311の底側に設置し、接続棒311と接触することで、該接触棒311は浮遊した状態で第一定置スタンド13の凹溝131に懸架されるが、第一定置スタンド13の凹溝131の底部と抵触しない。本考案の一つの実施例にある弾性復元部品40はスプリング41及びスライドブロック42からなり、該スプリング41とスライドブロック42は順に本体10の設置管15内に配置する。該スプリング41とスライドブロック42の一端は互いに接し、該スライドブロック42の他端は該回転輪31の接続棒311と接触する。この構造により、ユーザーが指で該回転部材30を下方に押さえると、該回転輪31の接続棒311は回路板20の微動スイッチを押圧するため、シグナルが送られる。ユーザーの指が回転部材30から離れると、該弾性復元部品40により、接続棒311は該微動スイッチ22から離れる。該微動スイッチ22は該回転輪31と該第一定置スタンド13の間に設置しても良い。
【００２１】
図4及び図5に示すものは、本考案の別の実施例である。該弾性復元部品40Aは彎曲した弾性のある金属性の細棒であって、その一端を該回路板20に沿って定置付けし、更に該第一定置スタンド13に沿って垂直に上向きに延長し、該第一定置スタンド13に沿わせて曲がり、更に、該第一定置スタンド13に沿って水平に延伸する。該弾性復元部品40Aの他端はフック状に形成し、該フックに該回転部材30の回転輪31の接続棒311を乗せることで、該接続棒311を浮遊した状態で第一定置スタンド13の凹溝131に懸架すると共に、回転部材30全体の弾性復元効果を発揮することができる。
【００２２】
前記ベアリング32と弾性復元部品40、40Aはそれぞれ回転輪31の嵌合棒312と接続棒311を支える構造により、該回転部材30は浮遊に近い形で本体10に設置することができる。それにより回転に伴う摩擦力を最も低くすることができるほか、重りも必要なくなる。また、ユーザーが軽く操作するだけで、迅速に回転することができるなど、部品コスト及び組立コストを効果的に節約し、組立時間を短縮する目的に達するほか、ユーザーは軽く該回転部材を転がすことができる。
【符号の説明】
【００２３】
10  本体
11  台座
12  上蓋
13  第一定置スタンド
131  凹溝
14  第二定置スタンド
141  凹溝
15  設置管
20  回路板
21  孔
22  微動スイッチ
30  回転部材
31  回転輪
32  ベアリング
33  回折格子
40、40A  弾性復元部品
41  スプリング
42  スライドブロック
【図１】
0003153319.tif 000003
【図２】
0003153319.tif 000004
【図３】
0003153319.tif 000005
【図４】
0003153319.tif 000006
【図５】
0003153319.tif 000007
【手続補正書】
【提出日】平成21年6月24日(2009.6.24)
【手続補正１】
【補正対象書類名】実用新案登録請求の範囲
【補正対象項目名】請求項４
【補正方法】変更
【補正の内容】
【請求項４】
前記本体10は、台座11と上蓋12を合体したものであることを特徴とする請求項1〜3のいずれか一項に記載のコンピューター入力装置の回転構造。